(57)【要約】【課題】  ベルトコンベアの搬送終端部から落下する溢れ玉の玉数を減少させることで、パチンコ玉の全体玉数を減少させ、パチンコ玉の研磨装置や搬送装置への負担を軽減させる。また、パチンコ玉がベルト搬送方向に転がるのを規制させることで、ベルト上のパチンコ玉同士の隙間を詰めて搬送密度を密にさせ、搬送玉数の増加により各パチンコ機への玉供給が確実にできるパチンコ島の提供。【解決手段】  島台１の上部に左右方向に延長して設けたベルトコンベア５ａと、ベルトコンベアの両側に設けられた玉供給シュート５ｂと、ベルトコンベアの搬送始端部Ｍに補給玉タンク３からのパチンコ玉を流下させる流下シュート５ｃと、ベルトコンベアの搬送終端部Ｎから落下した溢れ玉を排玉回収路９に導く溢れ玉回収路５ｄとを備え、前記ベルトコンベアが、搬送始端部から搬送終端部に向けて上り勾配で設けられている。【選択図】  図１
2007061597.tif 000002
【特許請求の範囲】
【請求項１】
島台に複数台のパチンコ機が左右方向に並設されているパチンコ島において、
各パチンコ機から排出されたパチンコ玉を回収する排玉回収路と、この排玉回収路で回収したパチンコ玉を島台の上方に設けた補給玉タンクに揚送させる揚送装置と、この補給玉タンクからのパチンコ玉を各パチンコ機に供給させる上部供給装置を備え、
前記上部供給装置は、各パチンコ機の上方を通るように島台の上部に左右方向に延長して設けたベルトコンベアと、このベルトコンベアの両側に設けられた各パチンコ機への玉供給シュートと、前記ベルトコンベアの搬送始端部に前記補給玉タンクからのパチンコ玉を流下させる流下シュートと、前記ベルトコンベアの搬送終端部から落下した溢れ玉を前記排玉回収路に導く溢れ玉回収路とを備え、
前記ベルトコンベアが、搬送始端部から搬送終端部に向けて上り勾配で設けられていることを特徴とするパチンコ島。
【請求項２】
請求項１記載のパチンコ島において、前記各玉供給シュートにそれぞれパチンコ玉の玉通過の有無を検出する玉通過センサが設けられ、パチンコ玉の通過を検出した玉通過センサの数に応じて前記ベルトコンベアの搬送速度を増減させるように形成されているパチンコ島。
【発明の詳細な説明】
【技術分野】
【０００１】
本発明は、パチンコ玉を内部で循環させるようにしたパチンコ島において、パチンコ玉をベルトコンベアを用いて搬送させながら各パチンコ機に供給させるようにしたパチンコ玉搬送技術に関する。
【背景技術】
【０００２】
従来、パチンコ玉を内部で循環させるようにしたパチンコ島として、各パチンコ機から排出されたパチンコ玉を回収する排玉回収路と、この排玉回収路で回収したパチンコ玉を島台の上方に揚送させる揚送装置と、この揚送装置で揚送させたパチンコ玉を各パチンコ機に供給させる上部供給装置を備え、この上部供給装置に、各パチンコ機の上方を通るように島台の上部に左右方向に延長してベルトコンベアが設けられているものが知られている（特許文献１参照）。
【０００３】
このようにベルトコンベアを用いると、揚送装置から各パチンコ機毎に傾斜樋によってパチンコ玉を分配させるようにした従前のパチンコ島に比べ、パチンコ島の高さを低く抑えることができる。
これにより、遊技場内が開放的になるし、見通しも良好になり、また、遊技場内の照明具等、内装設備の設計自由度を向上できるし、防犯カメラの視界を広げることができるなど、優れた効果が得られるものであった。
【特許文献１】特開平６−３９１３６号公報
【発明の開示】
【発明が解決しようとする課題】
【０００４】
しかしながら、従来のパチンコ島では、ベルトコンベアが水平搬送ベルトであった。
このように、水平搬送ベルトを用いると、このベルト上に供給されたパチンコ玉がベルト搬送方向に転がり易くなり、特に、搬送終端部から落下する溢れ玉の玉数が多くなってしまう。
これでは、水平搬送ベルトに供給するパチンコ玉の玉数を多くする必要が生じ、それだけパチンコ玉の全体玉数を多くしなければならず、それだけパチンコ玉の研磨装置や搬送装置への負担が増大してしまうという問題が生じる。
【０００５】
又、パチンコ玉がベルト搬送方向に転がり易くなると、ベルト上のパチンコ玉同士に隙間が生じてパチンコ玉の搬送密度が粗になり、搬送玉数が低下して各パチンコ機への玉供給不足に陥ることがあるという問題もある。
【０００６】
又、従来のパチンコ島において、水平搬送ベルトに勾配角を調節するための勾配調節機構が設けられている構成がある。
この勾配調節機構は、前記特許文献１の段落（００１１）に記載されているように、勾配を設けることにより、玉の補給をスピード化させ、大量の玉が必要とされるような場合でもスムーズな玉の補給を行うことができるようにするための構成である。
このように玉の補給をスピード化させるためには、ベルトコンベアを、搬送始端部から搬送終端部に向けて下り勾配で設ける必要が生じるもので、これでは、ベルトコンベアを水平に設けた場合より以上にパチンコ玉がベルト搬送方向に転がり易くなり、より一層に搬送終端部から落下する溢れ玉の玉数が多くなってしまう。
【０００７】
本発明は、上記のような問題を解決するためになされたもので、ベルトコンベアでパチンコ玉を搬送させるようにした上部供給装置の構成において、ベルトコンベアの搬送終端部から落下する溢れ玉の玉数を減少させることで、パチンコ玉の全体玉数を多くするといった不具合をなくし、パチンコ玉の研磨装置や搬送装置への負担を軽減することができるようにする。
また、パチンコ玉がベルト搬送方向に転がるのを規制させることで、ベルト上のパチンコ玉同士の隙間を詰めて搬送密度を密にさせ、搬送玉数の増加により各パチンコ機への玉供給が確実にできるようにしたパチンコ島を提供することを課題としている。
【課題を解決するための手段】
【０００８】
上記の課題を解決するために、本発明（請求項１）のパチンコ島は、
島台に複数台のパチンコ機が左右方向に並設されているパチンコ島において、
各パチンコ機から排出されたパチンコ玉を回収する排玉回収路と、この排玉回収路で回収したパチンコ玉を島台の上方に設けた補給玉タンクに揚送させる揚送装置と、この補給玉タンクからのパチンコ玉を各パチンコ機に供給させる上部供給装置を備え、
前記上部供給装置は、各パチンコ機の上方を通るように島台の上部に左右方向に延長して設けたベルトコンベアと、このベルトコンベアの両側に設けられた各パチンコ機への玉供給シュートと、前記ベルトコンベアの搬送始端部に前記補給玉タンクからのパチンコ玉を流下させる流下シュートと、前記ベルトコンベアの搬送終端部から落下した溢れ玉を前記排玉回収路に導く溢れ玉回収路とを備え、
前記ベルトコンベアが、搬送始端部から搬送終端部に向けて上り勾配で設けられている構成とした。
【０００９】
又、本発明（請求項２）のパチンコ島は、
請求項１記載のパチンコ島において、前記各玉供給シュートにそれぞれパチンコ玉の玉通過の有無を検出する玉通過センサが設けられ、パチンコ玉の通過を検出した玉通過センサの数に応じて前記ベルトコンベアの搬送速度を増減させるように形成されている。
【発明の効果】
【００１０】
本発明（請求項１）のパチンコ島は、上部供給装置に設けたベルトコンベアが、搬送始端部から搬送終端部に向けて上り勾配で設けられている構成に特徴がある。
このようにベルトコンベアを上り勾配で設けると、パチンコ玉は搬送終端部から搬送始端部に向けて、即ち搬送方向とは逆方向に転がろうとするため、パチンコ玉がベルト搬送方向に転がるのを規制させることができる。
【００１１】
これにより、ベルトコンベアの搬送終端部から落下する溢れ玉の玉数を減少させることができ、パチンコ玉の全体玉数を減少させてパチンコ玉の研磨装置や搬送装置への負担を軽減することができる。
また、ベルト上のパチンコ玉同士の隙間が詰まって搬送密度が密になり、それだけベルトコンベアによる搬送玉数が増加するため、各パチンコ機への玉供給が確実にできる。
【００１２】
又、ベルトコンベアから各玉供給シュートを通して各パチンコ機に供給されるパチンコ玉の量に応じて、ベルトコンベアの搬送速度を増減させる構成にすると（請求項２）、パチンコ玉の玉供給不足の防止、及び搬送終端部から落下する溢れ玉の玉数を減少させることができる。
【００１３】
例えば、パチンコ島内における複数のパチンコ機のうち、その多くのパチンコ機に同時にベルトコンベアから玉供給シュートを通して各パチンコ機にパチンコ玉が供給されると、パチンコ玉の供給が追い付かず、パチンコ玉の供給ミスを招くおそれが生じる。
このような場合には、ベルトコンベアの搬送速度を速くさせて、パチンコ玉の搬送量を増大させれば、パチンコ玉の供給ミスを防止することができる。
【００１４】
又、ベルトコンベアから各パチンコ機へ供給されるパチンコ玉の量が少ない場合、ベルトコンベアの搬送速度が速いままでは、搬送終端部から落下する溢れ玉の玉数が増加してしまう。
このような場合には、ベルトコンベアの搬送速度を遅くさせて、パチンコ玉の搬送量を減少させれば、搬送終端部から落下する溢れ玉の玉数を減少させることができる。
【００１５】
特に、将来において、パチンコを賭博性よりも遊戯性を重視する目的で、１００円当りの玉貸数を増加させることが考えられる（例えば、１００円当り５０玉や１００玉、ちなみに現在は１００円当り２５玉前後）。
このように玉貸数が増加した場合には、パチンコ玉の供給が追い付かないことが十分に考えられるもので、本発明によれば、このようなパチンコ玉の供給ミスといったトラブルを防止することができる。
【００１６】
そして、上記のように、パチンコ玉の供給量を制御するためにベルトコンベアの搬送速度を増減させる構成は、ベルトコンベアが搬送始端部から搬送終端部に向けて上り勾配で設けられているからである。
即ち、ベルトコンベアが上り勾配で設けられているため、ベルト上のパチンコ玉同士の隙間が詰まって搬送密度が密になり、これによりベルトコンベアによる搬送を確実に行うことができるからである。
【発明を実施するための最良の形態】
【００１７】
図１は本発明の実施例であるパチンコ島の右側半分を示す概略正面図、図２はこのパチンコ島のパチンコ玉循環系の上部供給装置の搬送終端部側を示す拡大説明図、図３はその上部供給装置を示す部分斜視図、図４はその上部供給装置を示す断面図である。
【００１８】
パチンコ島Ａは、図１に示すように、島台１に複数台のパチンコ機１６が左右方向に並設されたもので、実施例では左右４台づつのパチンコ機１６が島台１の表裏に並設されている。
【００１９】
このパチンコ島Ａの内部には、パチンコ玉循環系が形成され、このパチンコ玉循環系は、各パチンコ機１６から排出されたパチンコ玉１２を回収する排玉回収路９と、この排玉回収路９で回収したパチンコ玉１２を島台１の上方に設けた補給玉タンク３に揚送させる揚送装置２と、前記補給玉タンク３からのパチンコ玉１２を各パチンコ機１６に供給させる上部供給装置５を備えている。
【００２０】
前記揚送装置２は、排玉回収路９で回収したパチンコ玉１２を研磨しながら揚送するものであるが、研磨装置を揚送装置２の手前に設け、揚送装置２は揚送機能だけを有するものでもよい。
【００２１】
前記上部供給装置５は、ベルトコンベア５ａと、玉供給シュート５ｂと、流下シュート５ｃと、溢れ玉回収路５ｄとを備えている。
【００２２】
前記ベルトコンベア５ａは、各パチンコ機１６の上方を通るように島台１の上部に左右方向に延長して設けられている。
このベルトコンベア５ａは、駆動モータ６に連結された搬送始端側の駆動ローラ５０と、搬送終端側の従動ローラ５１との間にベルトを掛け回すことで形成されている。
【００２３】
前記ベルトコンベア５ａの上側ベルト部と下側ベルト部の間にプレートフレーム５２が配設され、その両側縁に立側板５３，５３が設けられている。
前記プレートフレーム５２はベルトコンベア５ａの幅よりも広幅に形成され、これによりプレートフレーム５２の両側部分には、前記ベルトコンベア５ａの両側から外方に張り出た玉受け部５４，５４が形成されている。
そして、プレートフレーム５２は中央から両側縁に向けて若干の下り傾斜に形成され、ベルトコンベア５ａ上のパチンコ玉１２が玉受け部５４，５４に向けて転がり易くなるようにして、各玉供給シュート５ｂへの供給がスムーズに行なえるようにしている。
なお、前記両立側板５３，５３の間には、ベルトコンベア５ａ及び玉受け部５４，５４を覆うように透明カバー１１が着脱可能に設けられている。
【００２４】
また、前記ベルトコンベア５ａは、搬送始端部Ｍから搬送終端部Ｎに向けて上り勾配で設けられている。
この場合の上り勾配は、パチンコ玉１２が搬送終端部Ｎから搬送始端部Ｍに向けて自然に転がることが可能でありながら、ベルトコンベア５ａにより搬送始端部Ｍから搬送終端部Ｎに向けて搬送することができるような勾配に形成される。
実施例では、２／１００の勾配に形成しているが、１／１００〜３／１００程度の勾配が適当である。
【００２５】
前記玉供給シュート５ｂは、前記ベルトコンベア５ａの両側に設けられ、このベルトコンベア５ａによって搬送されている途中のパチンコ玉１２を各パチンコ機１６に供給するためのもので、各パチンコ機１６の上方において、前記立側板５３に形成した切欠部に嵌め込むことで取り付けられ、パチンコ機１６の裏面に設けた景品玉貯留タンク（図示省略）に蛇腹ホース１７で接続されている。
【００２６】
前記流下シュート５ｃは、前記ベルトコンベア５ａの搬送始端部Ｍに前記補給玉タンク３からのパチンコ玉１２を流下させるためのもので、前記ベルトコンベア５ａの搬送始端部Ｍの上方に延出するように、補給玉タンク３の下端部に取り付けられている。
【００２７】
前記溢れ玉回収路５ｄは、前記ベルトコンベア５ａの搬送終端部Ｎから落下した溢れ玉を前記排玉回収路９に導くためのもので、ベルトコンベア５ａの搬送終端部Ｎに設けた落下ガイド器５５と前記排玉回収路９の上端部を蛇腹ホース５６で接続することで形成されている。
【００２８】
従って、各パチンコ機１６から排出された使用済のパチンコ玉１２は、排玉回収路９から揚送装置２を経る間に研磨されて補給玉タンク３に揚送され、この補給玉タンク３から上部供給装置５を経て各パチンコ機１６に供給され、再び各パチンコ機１６から排玉回収路９に排出されるという循環を繰り返すことになる。
【００２９】
そして、前記上部供給装置５では、補給玉タンク３からのパチンコ玉１２が流下シュート５ｃによってベルトコンベア５ａの搬送始端部Ｍに供給され、その後ベルトコンベア５ａによって搬送終端部Ｎに向けて搬送されていくものであるが、このベルトコンベア５ａが、搬送始端部Ｍから搬送終端部Ｎに向けて上り勾配で設けられているため、パチンコ玉１２はベルト搬送方向Ｘへの転がりを規制される。
これにより、ベルトコンベア５ａの搬送終端部Ｎから落下する溢れ玉１２の玉数を減少させることができるし、ベルトコンベア５ａ上のパチンコ玉１２，１２同士の隙間を詰まらせて搬送密度を密にすることができる。
【００３０】
又、前記パチンコ島Ａの上部供給装置５において、各玉供給シュート５ｂにそれぞれパチンコ玉１２の玉通過の有無を検出する玉通過センサＳが設けられている。
この玉通過センサＳは、パチンコ玉１２に接触又は非接触でパチンコ玉１２の通過を検出するマイクロスイッチが用いられ、上部供給装置５の各玉供給シュート５ｂにそれぞれ設けられた玉通過センサのうち、パチンコ玉１２の通過を検出した玉通過センサＳの数に応じて前記ベルトコンベア５ａの搬送速度を増減させるように形成されている。
【００３１】
前記したベルトコンベア５ａの搬送速度の制御系ブロック図を図５に示す。
各玉供給シュート５ｂにそれぞれ設けられた玉通過センサＳからの検出信号は制御部７に入力され、この制御部７からベルトコンベア５ａの駆動モータ６にモータ回転数（高速回転、中速回転、低速回転の３段階）の制御信号が出力されるようになっている。
前記制御部７は、制御処理を行うＣＰＵ７０、このＣＰＵ７０で実行される各種制御プログラムやデータ等を記憶するＲＯＭ７１、ＣＰＵ７０によって作動領域として利用されるＲＡＭ７２、及び入出力ポート７３を備えている。
このように、制御部７は、パチンコ玉１２の通過を検出した玉通過センサＳからの検出信号を受信し、その検出信号数が設定範囲内の場合には、ベルトコンベア５ａの駆動モータ６を中速回転で回転させるように指令する信号を出力させ、検出信号数が設定範囲よりも多い場合にはパチンコ玉の供給量が多いものと判断して駆動モータ６を高速回転で回転させるように指令する信号を出力させ、検出信号数が設定範囲よりも少ない場合にはパチンコ玉の供給量が少ないものと判断して駆動モータ６を低速回転で回転させるように指令する信号を出力させるものである。
【００３２】
従って、例えば、パチンコ島Ａ内における複数のパチンコ機１６のうち多くのパチンコ機１６に同時にベルトコンベア５ａから玉供給シュート５ｂを通してパチンコ玉１２が供給されると、パチンコ玉１２の供給が追い付かず、パチンコ玉１２の供給ミスを招くおそれが生じる。
このような場合には、玉通過センサＳによる検出信号数が制御部７に数多く入力されることから、制御部７から駆動モータ６に高速回転の信号が出力され、これに基づきベルトコンベア５ａの搬送速度が速くなり、パチンコ玉１２の搬送量が増大しパチンコ玉の供給ミスを防止することができる。
【００３３】
又、ベルトコンベア５ａから各パチンコ機１６へ供給されるパチンコ玉１２の量が少ない場合、ベルトコンベア５ａの搬送速度が速いままでは、搬送終端部Ｎから落下する溢れ玉の玉数が増加してしまう。
このような場合には、ベルトコンベア５ａの搬送速度を遅くさせて、パチンコ玉１２の搬送量を減少させれば、搬送終端部Ｎから落下する溢れ玉の玉数を減少させることができる。
【００３４】
尚、本実施例では、ベルトコンベア５ａの搬送速度を制御するために、駆動モータ６に高速回転、中速回転、低速回転の３段階の速度を設定したが、２段階でもよいし、３段階以上の多段階でもよいし、無段変速でもよい。
【図面の簡単な説明】
【００３５】
【図１】本発明の実施例であるパチンコ島の右側半分を示す概略正面図である。
【図２】このパチンコ島のパチンコ玉循環系の上部供給装置の搬送終端部側を示す拡大説明図である。
【図３】その上部供給装置を示す部分斜視図である。
【図４】その上部供給装置を示す断面図である。
【図５】ベルトコンベアの搬送速度の制御系ブロック図である。
【符号の説明】
【００３６】
１  島台
１１  透明カバー
１２  パチンコ玉
１６  パチンコ機
１７  蛇腹ホース
２  揚送装置
３  補給玉タンク
５  上部供給装置
５ａ  ベルトコンベア
５ｂ  玉供給シュート
５ｃ  流下シュート
５ｄ  溢れ玉回収路
５０  駆動ローラ
５１  従動ローラ
５２  プレートフレーム
５３  立側板
５４  玉受け部
５５  落下ガイド器
５６  蛇腹ホース
６  駆動モータ
７  制御部
７０  ＣＰＵ
７１  ＲＯＭ
７２  ＲＡＭ
７３  入出力ポート
９  排玉回収路
Ａ  パチンコ島
Ｍ  搬送始端部
Ｎ  搬送終端部
Ｘ  ベルト搬送方向
【図１】
2007061597.tif 000003
【図２】
2007061597.tif 000004
【図３】
2007061597.tif 000005
【図４】
2007061597.tif 000006
【図５】
2007061597.tif 000007